(57)【要約】【課題】手を汚さずにゴミを集めて廃棄し、ゴミ袋を有効に使用してちり取りの効力を発揮させ、ちり取りを使用しないときにはちり取りをコンパクトに収納することを可能にするちり取りを提供する。【解決手段】ちり取り１は、前方が開口部とされ、二つの側面部５、５、背面部６、上面部７及び底面部８により囲まれるゴミ受部４を有するちり取り本体２と、そしてちり取り本体２に取り外し可能な取手３とを含んで構成されていて、背面部６は開閉可能であり、背面部６が閉じている際には少なくともちり取り本体２のみでちり取りとしての機能を発揮し、背面部６が開いている際にはちり取り本体２にビニール袋９を取り付けてちり取りとしての機能を発揮することが出来ることを特徴とする。【選択図】  図１
2004174069.tif 000002
【特許請求の範囲】
【請求項１】
前方が開口部とされたちり取り本体の背面部を開閉可能に形成して構成され、前記ちり取り本体の背面部を開口した状態で袋を取り付けることにより集めたゴミを前記袋内に収容可能とすると共に、前記ちり取り本体の背面部を閉じることにより前記ちり取り本体のみでも使用可能とされたことを特徴とするちり取り。
【請求項２】
請求項１に記載のちり取りにおいて、
前記ちり取り本体には該ちり取り本体に対して所定の範囲で可動する取手が取着され、前記取手を持って持ち上げたときに前記ちり取り本体の開口部が上方を向くようにされたことを特徴とするちり取り。
【請求項３】
請求項１に記載のちり取りにおいて、
前記ちり取り本体には、該ちり取り本体の外側から嵌合するようにして前記袋を固定する固定手段を備えた取手が取着されることを特徴とするちり取り。
【請求項４】
請求項２又は３に記載のちり取りにおいて、
前記ちり取り本体は折り畳み可能とされる共に、前記取手は着脱可能とされていることを特徴とするちり取り。
【請求項５】
請求項２〜４のいずれか１項に記載のちり取りにおいて、
前記取手には、交換用の袋を蓄えておくための備蓄部材が設けられていることを特徴とするちり取り。
【請求項６】
請求項１〜５のいずれか１項に記載のちり取りにおいて、
前記ちり取り本体の開口部近傍の外側面には前記袋を取り付けるための係止手段が設けられ、前記背面部を開口した状態で前記袋を前記ちり取り本体内を貫通するようにして配置すると共に、当該袋の開口縁部を前記ちり取り本体の内側から外側に折り返した状態で前記係止手段で係止するようにされたことを特徴とするちり取り。
【請求項７】
請求項１〜５のいずれか１項に記載のちり取りにおいて、
前記ちり取り本体の背面部近傍の外側面には前記袋を取り付けるための係止手段が設けられ、前記背面部を開口した状態で前記袋を前記ちり取り本体の後側から当該ちり取り本体を覆うように被せ、当該袋の開口縁部を前記係止手段で係止することを特徴とするちり取り。
【請求項８】
請求項１〜７のいずれか１項に記載のちり取りにおいて、
前記ちり取り本体は、前記袋を前記ちり取り本体に固定するための弾性を有する環状体を有し、
前記環状体により前記袋の前記開口縁部を前記ちり取り本体の外周面に挟着することにより取り付けるようにされたことを特徴とするちり取り。
【請求項９】
請求項１〜８のいずれか一項に記載のちり取りにおいて、
前記ちり取り本体の背面部は、当該背面部を閉じたときに隙間が生じないような係合手段を有していることを特徴とするちり取り。
【発明の詳細な説明】
【０００１】
【発明が属する技術分野】
本発明は、集めたゴミを手を汚さずに廃棄できるちり取りに関し、特にスーパーマーケット等で利用されている買い物袋や、市販されているゴミ袋等の袋を用いて効率良くゴミを集めることが可能なちり取りに関する。
【０００２】
【従来の技術】
従来のちり取りとして示したちり取り５０は、図１１に示した様に、ちり取り本体５１と、そして取手５２と、を含んで構成されている。そして、ちり取り本体５１は、掃入口５３と、側面部５４と、そしてゴミ受部５５とからなっていて、一体に成型されている。取手５２は、ちり取り本体５１に固定されている。
【０００３】
ちり取り５０は、ほうき等で集められたゴミが入ってくる入り口である掃入口５３を備えていて、ゴミ受部５５に対して傾斜している。掃入口５３から掃き入れられたゴミが蓄えられるゴミ受部５５の周りには側面部５４が構成されていて、ゴミ受部５５からちり取り本体５１の外にゴミがこぼれる事を防止している。ちり取り５０に蓄えられたゴミは、その後ゴミ袋に移されてから廃棄されている。
【０００４】
一方、従来のちり取りには、図１２に示した様に、ちり取り５０に備わっているゴミ受部５５に相当する構成部分が無いちり取り６０も創作されている（例えば、特許文献１参照。）。ちり取り６０は、ちり取り本体６１と、そして取手６２とを含んで構成されている。ちり取り本体６１は掃入口６３と、側面部６４と、そして嵌着部材６５とを含んで構成されていて、開口部６６が開いている。また、ちり取り本体６１に取手６２が固定されて取り付けられている。ちり取り６０には、ゴミを貯める箇所が無いため、ゴミ袋６７がゴミを貯める役割を担ってちり取り６０には取り付けられる。開口部６６に挿入されたゴミ袋６７は、ゴミ袋６７の開口縁部周りが開口部６６からちり取り本体６１の外に折り返されて、嵌着部材６５と側面部６４の間にゴミ袋６７の開口縁部周りが挟着されることで、取り付けられる。
【０００５】
ちり取り６０は、ほうき等で集められたゴミが入ってくる入り口である掃入口６３を備えていて、傾斜している。掃入口６３から掃き入れられたゴミは、ゴミ袋６７に蓄えられ、ゴミ袋６７の包含量分のゴミを一度に集められる。ゴミ袋６７が一杯になったならば、嵌着部材６５は外され、ゴミ袋６７がちり取り６０から分離し、集められたゴミに触ることなく、そのままゴミ袋６７の口を閉じて、廃棄される。
【０００６】
【特許文献１】
特開２００１−３５３１２０号公報
【０００７】
【発明が解決しようとする課題】
しかしながら、従来のちり取り５０では、ゴミを集めるごとにゴミをちり取りからゴミ袋に移す必要があり、面倒である。また、その際にゴミがこぼれることがあると、手を汚すことにもなる。一方、従来のちり取り６０では、ゴミが直接ゴミ袋６７に蓄えられるので、手を汚す可能性は減るが、ゴミ袋６７が無くてはちり取り６０は、ちり取りとしての用をなさないといった問題点がある。また、従来のちり取り５０、６０は共に、取手がちり取り本体に固定されているため、取手の角度を手で合せなければ、ゴミをちり取りの中に掃き入れることが出来ないといった問題点もあった。さらに、従来のちり取り５０、６０は共に、取手がちり取り本体５１、６１に固定されているため、ちり取り５０，６０を収納するときに、コンパクトに畳むことが出来なかった。
【０００８】
そこで、本発明が解決すべき課題は、手を汚さずにゴミを集めて廃棄し、ゴミ袋を有効に使用してちり取りの効力を発揮させ、ちり取りを使用しないときにはちり取りをコンパクトに収納することを可能にするちり取りを提供することである。
【０００９】
【課題を解決するための手段】
上記課題を解決するために請求項１記載の発明は、前方が開口部とされたちり取り本体の背面部を開閉可能に形成して構成され、ちり取り本体の背面部を開口した状態で袋を取り付けることにより集めたゴミを袋内に収容可能とすると共に、ちり取り本体の背面部を閉じることによりちり取り本体のみでも使用可能とされたことを特徴とするちり取りを提供する。
【００１０】
上記課題を解決するために請求項２記載の発明は、請求項１に記載のちり取りにおいて、ちり取り本体にはちり取り本体に対して所定の範囲で可動する取手が取着され、取手を持って持ち上げたときにちり取り本体の開口部が上方を向くようにされたことを特徴とする。
【００１１】
上記課題を解決するために請求項３記載の発明は、請求項１に記載のちり取りにおいて、ちり取り本体には、ちり取り本体の外側から嵌合するようにして袋を固定する固定手段を備えた取手が取着されることを特徴とする。
【００１２】
上記課題を解決するために請求項４記載の発明は、請求項２又は３に記載のちり取りにおいて、ちり取り本体は折り畳み可能とされる共に、取手は着脱可能とされていることを特徴とする。
【００１３】
上記課題を解決するために請求項５記載の発明は、請求項２〜４のいずれか１項に記載のちり取りにおいて、取手には、交換用の袋を蓄えておくための備蓄部材が設けられていることを特徴とする。
【００１４】
上記課題を解決するために請求項６記載の発明は、請求項１〜５のいずれか１項に記載のちり取りにおいて、ちり取り本体の開口部近傍の外側面には袋を取り付けるための係止手段が設けられ、背面部を開口した状態で袋をちり取り本体内を貫通するようにして配置すると共に、袋の開口縁部をちり取り本体の内側から外側に折り返した状態で係止手段で係止するようにされたことを特徴とする。
【００１５】
上記課題を解決するために請求項７記載の発明は、請求項１〜５のいずれか１項に記載のちり取りにおいて、ちり取り本体の背面部近傍の外側面には袋を取り付けるための係止手段が設けられ、背面部を開口した状態で袋をちり取り本体の後側からちり取り本体を覆うように被せ、袋の開口縁部を係止手段で係止することを特徴とする。
【００１６】
上記課題を解決するために請求項８記載の発明は、請求項１〜７のいずれか１項に記載のちり取りにおいて、ちり取り本体は、袋をちり取り本体に固定するための弾性を有する環状体を有し、環状体により袋の開口縁部をちり取り本体の外周面に挟着することにより取り付けるようにされたことを特徴とする。
【００１７】
上記課題を解決するために請求項９記載の発明は、請求項１〜８のいずれか一項に記載のちり取りにおいて、ちり取り本体の背面部は、背面部を閉じたときに隙間が生じないような係合手段を有していることを特徴とする。
【００１８】
【発明の実施の形態】
以下、本発明に係るちり取りについて図示された一実施形態に基づいて、更に詳しく説明する。
【００１９】
図１は、本発明に係るちり取りの第一の実施形態を示す斜視図である。図示されたちり取り１は、ちり取り本体２と、そして取手３とを含んで構成されている。
【００２０】
ちり取り本体２は、プラスチックス製であるが、木材、金属、紙等により製造することも可能である。ちり取り本体２は、前方が開口部とされ、二つの側面部５、５、背面部６、上面部７及び底面部８により囲まれるゴミ受部４と、そして側面部５、５に備わっている嵌合雌部５ａ、５ａを含んで構成されている。背面部６は、開閉可能であるが、図１では背面部６は開いている。
【００２１】
ビニール袋９は、どのような大きさ、どのような形状を有していても良い。ビニール袋９は、ちり取り本体２に取り付けられる。まずちり取り本体２のゴミ受部４にビニール袋９は挿入される。この時、ビニール袋９の開口縁部、すなわち開いている口は、ゴミ受部４から出た状態である。その後、ビニール袋９の開口縁部をちり取り本体２の内側から外側に折り曲げるようにして、ちり取り本体２の側面部５に被せられる。その後、ちり取り本体２に備えられている係止手段で固定される。この係止手段に関しては、後述する。
尚、実施例では袋をビニール袋９としているが、他の袋でも良く、袋の種類を限定するものではない。
【００２２】
一方、ちり取り１の取手３は、ちり取り本体２から独立している。つまり、取手３は、ちり取り本体２から取り外し可能である。取手３は、人の力で若干変形し、ちり取り本体２から取り外しが可能になるため、弾性を有するプラスチックスで出来ている。もちろん、取手３は、ちり取り本体２を支持するのを目的としているため、十分な強度を有していることが必要であるが、弾性を有する他の材料、例えば金属、木材、紙等で製造することも可能である。
【００２３】
取手３は、掴み部３ａと、嵌合雄部３ｂと、そして支持棒３ｃ、３ｃとを含んで構成されている。嵌合雄部３ｂは、ゴミ受部４から嵌合雌部５ａに嵌合する。つまり、取手３はちり取り本体２の内側からちり取り本体２に取り付けられる。嵌合雄部３ｂの先端の形状は、円柱形となっていて、ビニール袋９の上からビニール袋９を挟みながら嵌合される。もちろん、この時には、ビニール袋９がちり取り本体２に取り付けられていて、その後に取手３が取り付けられる。または、嵌合雄部３ｂはビニール袋９を突き破って嵌合される。取手３をまずちり取り本体２に取り付けた後に、ビニール袋９を取り付けても良い。また、嵌合雄部３ｂの先端の形状は、先に示したような円柱形でなくても良く、先端が尖った円錐形とすることも可能である。嵌合雄部３ｂは、嵌合雌部５ａにしっかりと嵌合され、意図的にちり取り本体２から取手３を取り外そうとしなければ、外れない形状となっていれば良い。しかし、取手３は、図中に矢印で示したように、嵌合雄部３ｂを中心にちり取り本体２から可動可能であるので、断面円形であることが必要である。さらに、取手３の可動範囲は９０度あれば良い。図示した実施例では、取手３の動きは上面部７と底面部８により規制されるので、取手３の可動範囲は約１２０度である。
【００２４】
取手２の支持棒３ｃ、３ｃの間には、交換用の袋を備えられる備蓄部材である蓄積部３ｄが取り付けられている。尚、蓄積部３ｄは、取手３において突っ張り棒の役目も担っているが、不要の時には蓄積部３ｄは取り外し可能となっている。蓄積部３ｄは、箱型をしていて、図中に点線で示すように開閉可能である。蓄積部３ｄには、留部３ｅが付いていて、留部３ｅで蓄積部３ｄは開閉可能となる。蓄積部３ｄには、取り付けているビニール袋９が一杯になった時に、交換する袋が収納される。備蓄部材は、蓄積部３ｄのように閉ざされた空間を有するものではなくて、フック等の吊り下げ部材等でも良い。
【００２５】
取手３の掴み部３ａを持って、ちり取り１を持ち上げると、図２に示すように、嵌合雄部３ｂを中心に取手３は回転して、ちり取り本体２は取手３に対して平行になる。これにより、ちり取り１を持ち運ぶ際に、ゴミ受部４の中の捕集したゴミ２０が落下することなく、気軽にちり取り１を使用中において持ち運び出来る様になる。もちろん、使用するためにちり取り１を、地面や床に置く際には、取手３が回転し、図１に示した状態になる。
【００２６】
ビニール袋９は、スーパーマーケット等で用いられている袋であるので、握り部９ａ、９ａと閉じ部９ｂ、９ｂが付いている。一般的に閉じ部９ｂ、９ｂは、互いに結ばれ、ビニール袋９の内容物が外に出るのを妨げる役目をなす。図１において、握り部９ａ、９ａと閉じ部９ｂ、９ｂはそれぞれ係止手段によりちり取り本体２に固定されている。
【００２７】
握り部９ａは、側面部５に設けられている係止手段である下側突起５ｂ及び上側突起５ｃによりちり取り本体２に係止される。下側突起５ｂ及び上側突起５ｃの部分拡大図を図３に示す。図３（ａ）は側面図であり、図３（ｂ）は断面図である。下側突起５ｂ及び上側突起５ｃは、ちり取り本体２と同一の材料で作製されているが、異なる弾性体で作製しても良い。また、ちり取り本体２は、折り畳み可能であるので、下側突起５ｂ及び上側突起５ｃは共に側面部５よりも薄く、下側突起５ｂ及び上側突起５ｃが重なった厚みは、折り畳みに支障をきたさない程度であることが好ましい。下側突起５ｂは後方に突出していて、上側突起５ｃは前方に突出していて、下側突起５ｂの上に上側突起５ｃは重なって形成されている。握り部９ａは、下側突起５ｂに支持されてちり取り本体２に取り付けられ、上側突起５ｃがあるので意図的に行わなければ、握り部９ａの取り付け取り外しは行われない。尚、取り付け取り外しは、下側突起５ｂ及び上側突起５ｃが押し込み力や引っ張り力により変形するので、容易に行える。
【００２８】
閉じ部９ｂは、クリップ等の挟み部７ｅでちり取り本体２に取り付けられる。上面部７の係止部材の部分拡大図を図４に示す。図４（ａ）は、挟み部７ｅが収納された状態の係止部材の平面図であり、図４（ｂ）は挟み部７ｅを使用しているときの係止部材の断面図である。ちり取り本体２の上面部７には、係止部材である挟み部７ｅが弾性ゴム７ｄにより取り付けられている。上面部７には、スライド式の蓋７ａが開閉する部屋があり、その奥にはクリップ等である固定部７ｃがある。固定部７ｃには、弾性ゴム７ｄが取付可能である。弾性ゴム７ｄの先端に挟み部７ｅを設け、挟み部７ｅで閉じ部９ｂを挟むことが出来る。弾性ゴム７ｄは弾性体であり、伸縮するので取手３の動きによりビニール袋９が引っ張られても、その動きに対応できるようになる。また、挟み部７ｅを使用しない時には、挟み部７ｅを収納して、つまみのついた蓋７ａを閉じる。使用する時には、蓋７ａのつまみ及び／又は凹み部７ｂがあるので、蓋７ａは容易に開けられ、挟み部７ｅは使用可能な状態になる。もちろん、ビニール袋９に、閉じ部９ｂが無い時には、ビニール袋９の開口縁部の一部を挟み部７ｅで固定することも出来る。
【００２９】
一方、ちり取り本体２下部に位置するビニール袋９の閉じ部９ｂは、底面部８に設けられた係止手段、係止凸部８ａ及び係止凹部８ｃにより固定される。底面部８に設けられた係止手段の部分拡大図を図５に示す。図５（ａ）は係止凸部８ａが開いている状態の断面図であり、図５（ｂ）は係止凸部８ａが係止凹部８ｃに嵌合して、閉じ部９ｂが係止凸部８ａと係止凹部８ｃとの間に嵌着されている状態の断面図である。係止凸部８ａは、回転部材８ｂにより回転して開閉する様に構成されている。係止凹部８ｃの端部には、凹部８ｄがあるので係止凸部８ａを容易に開くことが出来る様になり、閉じ部９ｂを固定することが出来る。
【００３０】
さらに、図１においては、ビニール袋９をちり取り本体２に固定するためにゴム製の環状体１０を用いている。これにより、ちり取り本体２の係止手段のみの時よりも、さらに強くビニール袋９をちり取り本体２に取り付けることが出来る。もちろん、ビニール袋９をちり取り本体２に取り付けるときは、ちり取り本体２の係止手段の内の一つ又は複数を用いても良いし、これに加えて又はこれに換えて環状体１０で行っても良い。
【００３１】
次に、本発明に係るちり取りの第二の実施形態を、図を用いて説明する。
図６は、本発明に係る第二の実施形態の斜視図である。図示されたちり取り１ａは、第一の実施例におけるちり取り１から、ビニール袋９を取り去り、且つ背面部６を閉じた形態である。尚、第二の実施形態では、蓄積部３ｄも取り除かれている。
【００３２】
ちり取り１、１ａにおいて、背面部６は開閉可能であり、図１においては、ゴミ受部４の背面部６が開いていて、スーパーマーケット等で一般的に用いられているビニール袋９がちり取り本体２に取り付けられている。これにより、ゴミ受部４の一端が閉じられた状態となり、ゴミ２０を捕集出来るようになっている。一方、図６の第二の実施形態では、背面部６が閉じられているため、ちり取り本体２のみでゴミ受部４の一端が閉じた状態になり、図６に示すようにゴミ袋を取り付けない状態で、ちり取りとして使用できる。
【００３３】
ちり取り本体２の側面部５、５、上面部７、そして底面部８の後方側端部には背面部６の係合部６ａにしっかりと嵌る凸部が形成されている。これにより、背面部６を閉じた時に隙間が生じずゴミ２０がもれないようになる。背面部６を開くときに力を背面部６に加えるために、爪部７ｆが上面部７の最後部に設けられている。爪部７ｆは、爪や指が背面部６に引っかけるための窪みである。
ちり取り本体２は、折り畳むことが可能である。図７に図示するように、背面部６が開き、側面部５、５が倒れることで平面状に折りたたむことが出来る。図７（ａ）では、実線で側面部５、５が底面部８に立っているところを、点線で折り畳まれる過程の様子を表している。また、図７（ｂ）はちり取り本体２を折り畳んだ状態を描いている。
【００３４】
次に、本発明に係るちり取りの第三の実施形態を、図を用いて説明する。
図８は、本発明に係る第三の実施形態の斜視図である。図示されたちり取り１１は、ちり取り本体２と、そして取手３とを含んで構成されている。
尚、第三の実施形態を説明するために、第三の実施形態中で第一の実施形態と同様の部材を同様に適用したものには、第一の実施形態中の符号と同様の符号を用いた。
【００３５】
ちり取り１１は、ビニール袋９の開口縁部にすっぽりとちり取り本体２が収まるようにしてちり取り本体２にビニール袋９が取り付けられている。この時、ビニール袋９の閉じ部９ｂ、９ｂは、挟み部７ｅ並びに係止凸部８ａ及び係止凹部８ｃで固定されている。握り部９ａ、９ａは、下側突起５ｄ、５ｄ及び上側突起５ｅ、５ｅにより固定される。第三の実施形態では、握り部９ａが後方から向かってくるので、下側突起及び上側突起を弾性変形させて、下側突起５ｂが上側突起５ｅに、上側突起５ｃが下側突起５ｄに入れ替える。これにより、確実に握り部９ａは、ちり取り本体２に固定される。
【００３６】
ちり取り本体２は、主としてプラスチックスで出来ているが、側面部５、５、上面部７及び底面部８の中央付近には磁性を有する金属が含まれている。これにより、ビニール袋９を磁石でちり取り本体２に取り付けることが可能である。もちろん、ちり取り本体２全体が、磁性を有する材料で作製されても良い。
【００３７】
第三の実施形態では、第一の実施形態とは異なる背面部６の側面部５、５、上面部７への取付手段を採っている。なお、この取付手段は図８の背面部６には示していない。取付手段を説明するために図９を用いる。図９（ａ）は取付手段の取付前のちり取り本体２の斜視図であり、図９（ｂ）は一つの取付手段の取付前の断面図で、図９（ｃ）は図９（ｂ）の取付手段の取付後の断面図である。背面部６の三面にはそれぞれ複数個の係合雌部１２ａが設けられている。一方、側面部５、５、上面部７には、それぞれ係合雄部１２ｂが設けられている。係合雌部１２ａと係合雄部１２ｂは、１対１で対応している。係合雌部１２ａには、孔が開いていて係合雄部１２ｂが係合するように設計されている。この係合雌部１２ａと係合雄部１２ｂにより、しっかりと背面部６は側面部５、５、上面部７へ取付され、ちり取り本体２はビニール袋９を用いずにちり取りとしての役目を果たすことが出来るようになる。
【００３８】
次に、本発明に係るちり取りの第四の実施形態を、図を用いて説明する。
図１０は、本発明に係る第四の実施形態の斜視図である。図示されたちり取り１５は、ちり取り本体２と、そして取手１６とを含んで構成されている。
尚、第四の実施形態を説明するために、第四の実施形態中で第一の実施形態と同様の部材を同様に適用したものには、第一の実施形態中の符号と同様の符号を用いた。
【００３９】
ちり取り本体２は、前方が開口部とされ、二つの側面部５、５、背面部６、上面部７及び底面部８により囲まれるゴミ受部４とを含んで構成されている。背面部６は、開閉可能であるが、図１０では背面部６は開いている。
【００４０】
側面部５、５及び上面部７には、係止部材が各一つずつ設けられている。係止部材の数、大きさ及び設置箇所等は、任意に決めることが出来る。係止部材は、袋止雌部１７ａと袋止雄部１７ｃとにより構成されている。袋止雌部１７ａには、袋止雄部１７ｃが嵌る孔１７ｂが開けられている。袋止雌部１７ａは、袋止雌部１７ａの後ろの部分、つまりちり取り本体２の背面部６側の端部１７ｄがちり取り本体２に固定され、袋止雌部１７ａが可動可能で、端部１７ｄを軸に開く仕組みとなっている。袋止雄部１７ｃは、ちり取り本体２に取り付けられている。または、袋止雌部１７ａと袋止雄部１７ｃは、ちり取り本体２と一体に成型されて、作られても良い。係止部材は、ビニール袋９をちり取り本体２に取り付けるときに用いるが、取り付け方法は後述する。
【００４１】
背面部６には、嵌め込み部６ｂがそれぞれ端部に設けられている。嵌め込み部６ｂは、背面部６を閉じるときに、ゴミ受部４に嵌め込まれる。つまり、嵌め込み部６ｂはそれぞれ上面部７と二つの側面部５、５に接して、背面部６は閉じられる。図示していないが、背面部６には背面部６を開閉するためのつまみが、設けられている。これは、背面部６を閉じた状態は、隙間無く背面部６が閉じられている状態であるので、開閉時の作業性をあげるためである。
【００４２】
取手１６は、掴み部１６ａと、支持棒１６ｂ、１６ｂと、嵌合上部１６ｃと、嵌合側部１６ｄ、１６ｄと、そして嵌合下部１６ｅとから構成されている。嵌合上部１６ｃと、嵌合側部１６ｄ、１６ｄと、そして嵌合下部１６ｅにより、四角形の領域が形成されていて、ビニール袋９を固定する固定手段となっている。この四角形の領域は、ちり取り本体２の外周よりも若干大きくなっていて、この領域を利用して取手１６はちり取り本体２に使用時に取り付けられる。使用しない時には、ちり取り本体２から取手１６は外される。
取手１６は側面から見て厚さがそれほど無く、ちり取り本体２が折り畳み可能であるので、ちり取り１５も、他の実施形態のちり取り１、１ａ、１１と同様に少ないスペースに片付けることが出来る。
【００４３】
ちり取り１５には、ビニール袋９がちり取り本体２内を貫通するようにして配置され、ビニール袋９の開口縁部をちり取り本体２の内側から外側に折り返してビニール袋９が取り付けられている。折り返されたビニール袋９の開口縁部は、取手１６の嵌合上部１６ｃ、嵌合側部１６ｄ、１６ｄ及び嵌合下部１６ｅから形成される固定手段により、しっかりと固定されている。これにより、ちり取り本体２に、ビニール袋９は、取り付けられる。つまり、ビニール袋９のちり取り本体２への取り付け、取り外しは、取手１６の取り付け、取り外しを伴って行われる。
【００４４】
さらに、図１０において、ビニール袋９の握り部９ａと閉じ部９ｂは、それぞれ袋止雌部１７ｃと袋止雄部１７ａの間に挟まれて固定されている。これは、まず、袋止雌部１７ａが開いている際に、袋止雄部１７ｃの上に握り部９ａや閉じ部９ｂをおく。次に、袋止雌部１７ａを閉じると、袋止雄部１７ｃが袋止雌部１７ａの孔１７ｂに嵌め込まれる。この際、握り部９ａや閉じ部９ｂは、袋止雄部１７ｃと孔１７ｂの間に挟まれて、ビニール袋９はちり取り本体２に取着される。
【００４５】
【発明の効果】
請求項１に記載の本発明によれば、身近にある袋を用いて衛生的に効率良くゴミを捕集し、捨てることが出来るという効果を有する。また、ちり取り本体の後側が開閉することで、袋を用いたちり取りと、袋を用いないちり取りの二つの態様を一つのちり取りで実現することが出来る効果を有する。
【００４６】
請求項２に記載の本発明によれば、取手がちり取り本体に対して動き、また可動範囲が限定されているので、ちり取りを使用中に持ち運ぶ時には、ゴミが入るちり取りの口である開口部が上を向くようになり、捕集したゴミをばら撒く心配が無くなる効果を有する。
請求項３に記載の本発明によれば、ちり取り本体に取手を外側から嵌合することで、ちり取り本体と取手との間に袋を挟みこんで、袋をちり取り本体に取り付けることが出来る効果を有する。
【００４７】
請求項４に記載の本発明によれば、ちり取り本体が折り畳むことができるので、ちり取りをちり取り本体と取手に分解して、狭いスペースにちり取りをしまう事が出来る効果を有する。
請求項５に記載の本発明によれば、備蓄部材が設けられているので、新しい袋を蓄えることができ、ちり取り本体に設置している袋が一杯になった時に、早速新しい袋を備蓄部材から取り出し、ゴミの捕集を続行することが出来る効果を有する。
【００４８】
請求項６に記載の本発明によれば、ちり取り本体にゴミが入ってくる箇所が全て袋で覆われるので、ちり取りが全くゴミに接することなく、ゴミを捕集する効果を有する。
請求項７に記載の本発明によれば、袋が後ろから固定され、袋とちり取り本体との重なっている部分が少なくなるので、ゴミを一度に集める量が、多くなるという効果を有する。
【００４９】
請求項８に記載の本発明によれば、環状体として特殊な材料でないゴム等の弾性体を用いて、容易にちり取り本体に袋を固定できるという効果を有する。
請求項９に記載の本発明によれば、背面部が隙間無くしっかりと閉じるので、袋を用いずにちり取り本体をちり取りとして用いても、一度捕集したゴミがちり取りのゴミ受部からゴミがはみ出して脱落することがなくなるという効果を有する。
【図面の簡単な説明】
【図１】本発明に係るちり取りの第一の実施形態を示す斜視図である。
【図２】図１に示したちり取りを持ち上げた状態を示す斜視図である。
【図３】側面部の係止手段を表していて、（ａ）は側面図、（ｂ）は断面図である。
【図４】上面部の係止手段を表していて、（ａ）は平面図、（ｂ）は断面図である。
【図５】底面部の係止手段を表している断面図であり、（ａ）は袋の係止前を、（ｂ）は袋の係止後を表している。
【図６】本発明に係るちり取りの第二の実施形態を示す斜視図である。
【図７】第一及び第二の実施形態に係るちり取り本体の折り畳みを表していて、（ａ）は模式図、（ｂ）は折り畳み後の平面図である。
【図８】本発明に係るちり取りの第三の実施形態を示す斜視図である。
【図９】図８に示したちり取りの背面部の取付手段を示していて、（ａ）は斜視図、（ｂ）は取付手段の取付前の断面図、（ｃ）は取付手段の取付後の断面図である。
【図１０】本発明に係るちり取りの第四の実施形態を示す斜視図である。
【図１１】従来のちり取りを示す斜視図である。
【図１２】図１１に示したちり取りとは別の従来のちり取りを示していて、（ａ）はゴミ袋取付前の斜視図、（ｂ）はゴミ袋取付後の断面図である。
【符号の説明】
１、１ａ、１１、１５  ちり取り
２  ちり取り本体
３  取手
３ａ  掴み部
３ｂ  嵌合雄部
３ｃ  支持棒
３ｄ  蓄積部
３ｅ  留部
４  ゴミ受部
５  側面部
５ａ  嵌合雌部
５ｂ、５ｄ  下側突起
５ｃ、５ｅ  上側突起
６  背面部
６ａ  係合部
６ｂ  嵌め込み部
７  上面部
７ａ  蓋
７ｂ  凹み部
７ｃ  固定部
７ｄ  弾性ゴム
７ｅ  挟み部
７ｆ  爪部
８  底面部
８ａ  係止凸部
８ｂ  回転部材
８ｃ  係止凹部
９  ビニール袋
９ａ  握り部
９ｂ  閉じ部
１０  環状体
１２ａ  係合雌部
１２ｂ  係合雄部
１６  取手
１６ａ  掴み部
１６ｂ  支持棒
１６ｃ  嵌合上部
１６ｄ  嵌合側部
１６ｅ  嵌合下部
１７ａ  袋止雌部
１７ｂ  孔
１７ｃ  袋止雄部
１７ｄ  端部
２０  ゴミ
【図１】
2004174069.tif 000003
【図２】
2004174069.tif 000004
【図３】
2004174069.tif 000005
【図４】
2004174069.tif 000006
【図５】
2004174069.tif 000007
【図６】
2004174069.tif 000008
【図７】
2004174069.tif 000009
【図８】
2004174069.tif 000010
【図９】
2004174069.tif 000011
【図１０】
2004174069.tif 000012
【図１１】
2004174069.tif 000013
【図１２】
2004174069.tif 000014